(57)【要約】【課題】金属製の取付体に取付けられても、無線処理装置との間での無線通信を可能とすることを目的とする。【解決手段】無線リーダ／ライタ１０から斜めに発せられた磁力線を無線リーダ／ライタ１０との間で斜めに循環させることにより非接触で情報の通信を行うもので、金属フレーム１２に取付けられる無線タグ１と、この無線タグ１の金属フレーム１２に対向する側の面に設けられ、無線リーダ／ライタ１０との間で循環する磁力線が金属フレーム１２に流れないようにガイドするアモルファスシート１１とを具備し、無線タグ１は、アモルファスシート１１の中心からリーダ／ライタ１０側に変位される。【選択図】      図４
2009032295.tif 000002
【特許請求の範囲】
【請求項１】
無線処理装置から斜めに発せられた磁力線を前記無線処理装置との間で斜めに循環させることにより非接触で情報の通信を行うもので、取付体に取付けられる情報記憶媒体と、
この情報記憶媒体の前記取付体に対向する側の面に設けられ、前記無線処理装置との間で循環する磁力線が前記取付体に流れないようにガイドするガイド部材と、
を具備し、
前記情報記憶媒体は前記ガイド部材の中心から前記無線処理装置側に変位されたことを特徴とする無線情報記憶媒体装置。
【請求項２】
無線処理装置から斜めに発せられた磁力線を前記無線処理装置との間で斜めに循環させることにより非接触で情報の通信を行うもので、取付体に取付けられる情報記憶媒体と、
この情報記憶媒体の前記取付体に対向する側の面に設けられ、前記無線処理装置との間で循環する磁力線が前記取付体に流れないようにガイドし、面積を前記情報記憶媒体の面積より大とするガイド部材と、
を具備し、
前記情報記憶媒体は前記ガイド部材の中心から前記無線処理装置側に変位されたことを特徴とする無線情報記憶媒体装置。
【発明の詳細な説明】
【技術分野】
【０００１】
本発明は、例えば、物品に対して所定の処理を行うために取付けられる物品付票として好適な無線タグとして用いられる無線情報記憶媒体装置に関する。
【背景技術】
【０００２】
この種の無線タグは例えば、基板上にＬＳＩ、コンデンサ、アンテナコイル等の電子部品を実装してインレットを構成し、このインレットをカップ内に収納するとともに、カップ内に樹脂材を充填して硬化させてなる。
【０００３】
この無線タグは商品に貼り付けられ、無線リーダ／ライタ（無線処理装置）との間で無線通信されることにより、商品管理などが行われる。
【発明の開示】
【発明が解決しようとする課題】
【０００４】
しかしながら、従来の無線タグは金属性の商品に取付けられると、無線リーダ／ライタから出た磁力線が無線タグ内のアンテナコイルを通過して金属内に入ってしまう。
【０００５】
磁力線が金属内に入ると、磁力線は熱エネルギーに変換してしまい、無線カード／ライタに戻ることができず、結果として無線リーダ／ライタと無線タグとの間での通信が不能になるという問題があった。
【０００６】
本発明は上記実情に鑑みなされたもので、金属製の取付体に取付けられても、無線処理装置との間での無線通信を可能とする無線情報記憶媒体装置を提供することを目的とする。
【課題を解決するための手段】
【０００７】
上記課題を解決するため、請求項１記載の発明は、無線処理装置から斜めに発せられた磁力線を前記無線処理装置との間で斜めに循環させることにより非接触で情報の通信を行うもので、取付体に取付けられる情報記憶媒体と、この情報記憶媒体の前記取付体に対向する側の面に設けられ、前記無線処理装置との間で循環する磁力線が前記取付体に流れないようにガイドするガイド部材とを具備し、前記情報記憶媒体は前記ガイド部材の中心から前記無線処理装置側に変位される。
【０００８】
請求項２記載の発明は、無線処理装置から斜めに発せられた磁力線を前記無線処理装置との間で斜めに循環させることにより非接触で情報の通信を行うもので、取付体に取付けられる情報記憶媒体と、この情報記憶媒体の前記取付体に対向する側の面に設けられ、前記無線処理装置との間で循環する磁力線が前記取付体に流れないようにガイドし、面積を前記情報記憶媒体の面積より大とするガイド部材とを具備し、前記情報記憶媒体は前記ガイド部材の中心から前記無線処理装置側に変位される。
【発明の効果】
【０００９】
本発明によれば、情報記憶媒体の取付体に対向する側の面に、無線処理装置との間で循環する磁力線が取付体に流れないようにガイドするガイド部材（強磁性体）を設けるため、取付体が金属であっても、磁束の環を形成することができ、無線処理装置との間での通信が可能となる。
【００１０】
また、無線処理装置から斜めに磁力線が発せられる場合には、情報記憶媒体をガイド部材（強磁性体）の中心から無線処理装置側に偏心して設けるため、情報記憶媒体を通過した磁力線が流れるガイド部材（強磁性体）部分の長さ寸法を長くすることができる。従って、スムーズな磁束環の形成が可能となり、無線処理部と無線タグとの間の通信可能距離を長くできる利点がある。
【発明を実施するための最良の形態】
【００１１】
以下、本発明の実施の形態を図面を参照して詳細に説明する。  
図１は本発明の一実施の形態である無線情報記憶媒体装置としてのコイン型の無線タグ１及び無線処理装置としての無線リーダ／ライタ１０を示す斜視図で、図２はその縦断面図である。
【００１２】
無線タグ１は基板２を備え、この基板２上には電子部品としてのＬＳＩ及びコンデンサ等の電子部品４が実装され、さらに第２のアンテナコイルとしてのアンテナコイル５が接続されてイントレット６が構成されている。このイントレット６は樹脂製の容器としてのカップ７内に収納され、さらに、カップ７内には樹脂材８が充填硬化されている。
【００１３】
基板２は厚さ０．２ｍｍの片面配線のガラスエポキシ基板である。アンテナコイル５はφ０．０６の被覆された銅線で、２００回巻かれた融着線である。カップ７はφ２０、ｔ３のエポキシ樹脂の成形品である。
【００１４】
また、無線タグ１のカップ７の底面には、ガイド部材としての強磁性体であるアモルファスシート１１が設けられている。アモルファスシート１１はカップ７の底面より広い面積を有し、カップ７はアモルファスシート１１の略中央部に設けられている。
【００１５】
このように構成される無線タグ１は取付体としての商品の金属フレーム１２に取付けられて使用される。
【００１６】
無線リーダ／ライタ１０は無線タグ１の上方部に設けられ、内部には磁力線１４を発させる第１のアンテナコイルとしての磁力線発生アンテナコイル１３が設けられている。
【００１７】
図３は無線リーダ／ライタ１０の磁力線発生アンテナコイル１３から磁力線が発生された状態を示すものである。
【００１８】
アンテナコイル１３から発せられた磁力線１４は無線タグ１内のアンテナコイル５を通過したのち、アモルファスシート１１内を通過することにより、無線リーダ／ライタ１０内のアンテナコイル１３に戻る。これにより、磁束が環をなし、無線リーダ／ライタ１０と無線タグ１１との間の通信が可能となる。
【００１９】
上記したように、アモルファスシート１１を無線タグ１と金属フレーム１２との間に介在させるため、無線タグ１のアンテナコイル５を通過した磁力線１４は
アモルファスシート１１内を通過して無線リーダ／ライタ１０に戻る。
【００２０】
従って、従来のように無線タグ１のアンテナコイル５を通過した磁力線１４が金属フレーム１２に入って熱エネルギに変換することがなく、無線リーダ／ライタ１０との間の通信が可能になる。
【００２１】
図４は本発明の第２の実施の形態である無線情報記憶媒体としてのコイン型の無線タグ１及び無線リーダ／ライタ２１を示す斜視図で、図５はその縦断面図である。
【００２２】
なお、上記第１の実施形態で説明した部分と同一部分についてはその説明を省略する。
【００２３】
この実施の形態では、無線リーダ／ライタ２１が無線タグ１の斜め上方部に設けられ、無線タグ１はアモルファスシート１１の中心ではなく、無線リーダ／ライタ２１側に偏心して設けられている。
【００２４】
図５は無線リーダ／ライタ２１の磁力線発生アンテナコイル２２から磁力線１４が発生された状態を示すものである。
【００２５】
磁力線発生アンテナコイル２２から斜めに発せられた磁力線１４は無線タグ１内のアンテナコイル５を斜め上方から通過したのち、アモルファスシート１１内を通過して無線リーダ／ライタ１０内のアンテナコイル２２に戻る。これにより、磁束が環をなし、無線リーダ／ライタ２１と無線タグ１との間の通信が可能となる。
【００２６】
この実施の形態では、無線タグ１をアモルファスシート１１上で無線リーダ／ライタ２１方向に偏心して設けるため、無線タグ１から送り出される磁力線１４が進行する方向のアモルファスシート１１の長さ寸法が大きくなる。
【００２７】
従って、無線タグ１に対し無線リーダ／ライタ２１により斜め方向から磁力線１４が送られてきても、スムーズな磁束環の形成が可能となり、無線タグ１をアモルファスシート１１の中心に設けた場合より、通信可能距離を長くできる。
【００２８】
この実施の形態によれば、例えば、無線タグを固定する面積、即ち、アモルファスシート１１の大きさに制限がある場合や、無線リーダ／ライタ１０を無線タグ１に近づける方向、角度に制限がある場合に有効である。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３０】
【図１】本発明の第１の実施の形態である無線タグ及び無線リーダ／ライタを示す斜視図。
【図２】無線タグ及び無線リーダ／ライタを示す縦断面図。
【図３】無線タグと無線リーダ／ライタ間で送受信される磁束環を示す図。
【図４】本発明の第２の実施の形態である無線タグ及び無線リーダ／ライタを示す斜視図。
【図５】無線タグと無線リーダ／ライタ間で送受信される磁束環を示す図。
【符号の説明】
【００３１】
１…無線タグ、２…基板（基体）、３…ＬＳＩ、４…コンデンサ、５…アンテナコイル（第２のアンテナコイル）、７…カップ（容器）、８…樹脂材、１１…アモルファスシート（ガイド部材）、１２…金属フレーム（取付体）、１３…磁力線発生コイル（第１のアンテナコイル）、１４…磁力線、２１…無線タグ、２２…磁力線発生コイル（第１のアンテナコイル）。
【図１】
2009032295.tif 000003
【図２】
2009032295.tif 000004
【図３】
2009032295.tif 000005
【図４】
2009032295.tif 000006
【図５】
2009032295.tif 000007